(57)【要約】【課題】表示装置において、ユーザ体験として直観的な画面遷移を提供すること。【解決手段】本発明に係る表示装置１は、折り畳み可能な複数の画面Ａ，Ｂ，Ｃを有する表示装置であって、各画面Ａ，Ｂ，Ｃの折り畳み状態を特定することにより、各画面Ａ，Ｂ，Ｃのうち画像を表示する表示画面を特定する表示画面特定部１１と、各画面Ａ，Ｂ，Ｃにおける起動アプリケーションを特定するアプリ特定部１２と、表示画面特定部により特定された表示画面と、アプリ特定部１２により特定された各画面Ａ，Ｂ，Ｃの起動アプリケーションとに基づき、表示画面における表示対象のアプリケーションを決定する表示アプリ決定部１３と、表示画面に表示対象のアプリケーションに係る画像を表示する表示部１６と、を備える。【選択図】図２
2017223720.tif 000002
【特許請求の範囲】
【請求項１】
折り畳み可能な複数の画面を有する表示装置であって、
各画面の折り畳み状態を特定することにより、各画面のうち画像を表示する表示画面を特定する表示画面特定部と、
各画面における起動アプリケーションを特定するアプリ特定部と、
前記表示画面特定部により特定された表示画面と、前記アプリ特定部により特定された各画面の起動アプリケーションとに基づき、前記表示画面における表示対象のアプリケーションを決定する表示アプリ決定部と、
前記表示画面に前記表示対象のアプリケーションに係る画像を表示する表示部と、を備える表示装置。
【請求項２】
前記表示アプリ決定部は、複数の前記起動アプリケーションのうち、前記表示画面における前記起動アプリケーションを、前記表示対象のアプリケーションに決定する、請求項１記載の表示装置。
【請求項３】
前記表示画面特定部は、所定の時間間隔で連続的に前記表示画面を特定しており、
前記表示アプリ決定部は、前記表示画面の変遷を更に考慮して、前記表示対象のアプリケーションを決定する、請求項１又は２記載の表示装置。
【請求項４】
前記アプリ特定部は、所定の時間間隔で連続的に前記起動アプリケーションを特定しており、
前記表示アプリ決定部は、前記起動アプリケーションの変遷を更に考慮して、前記表示対象のアプリケーションを決定する、請求項１〜３のいずれか一項記載の表示装置。
【請求項５】
前記表示アプリ決定部は、決定した前記表示対象のアプリケーションの数と、前記表示画面特定部により前記表示画面であると特定された画面の数とに応じて、前記表示対象のアプリケーションに係る画像の表示サイズを決定し、
前記表示部は、前記表示アプリ決定部によって決定された表示サイズで、前記表示対象のアプリケーションに係る画像を表示する、請求項１〜４のいずれか一項記載の表示装置。
【発明の詳細な説明】
【技術分野】
【０００１】
本発明は、折り畳み可能な表示装置に関する。
【背景技術】
【０００２】
従来、表示部分を折り畳み可能な表示装置としてフレキシブルディスプレイが知られている（例えば特許文献１参照）。フレキシブルディスプレイでは、折り畳む、曲げる等の形状の変化が加えられた場合においても、該変化に応じて適切に画像を表示することができる。
【先行技術文献】
【特許文献】
【０００３】
【特許文献１】特開２０１５−１８０９９３号公報
【発明の概要】
【発明が解決しようとする課題】
【０００４】
上述した表示装置として、複数の画面を有すると共に、各画面を折り畳むことにより表示画面が変化するフレキシブルディスプレイがある。このようなフレキシブルディスプレイでは、画面毎に異なるアプリケーションを起動することや、全ての表示画面に１つのアプリケーションに係る画像を表示することが可能である。しかしながら、このような表示装置においては、表示画面及び起動アプリケーションが変化した場合に、ユーザ体験として直観的な画面遷移を提供することが困難である。
【０００５】
本発明は上記実情に鑑みてなされたものであり、折り畳みに応じて表示画面が変化する表示装置において、ユーザ体験として直観的な画面遷移を提供することを目的とする。
【課題を解決するための手段】
【０００６】
本発明の一態様に係る表示装置は、折り畳み可能な複数の画面を有する表示装置であって、各画面の折り畳み状態を特定することにより、各画面のうち画像を表示する表示画面を特定する表示画面特定部と、各画面における起動アプリケーションを特定するアプリ特定部と、表示画面特定部により特定された表示画面と、アプリ特定部により特定された各画面の起動アプリケーションとに基づき、表示画面における表示対象のアプリケーションを決定する表示アプリ決定部と、表示画面に表示対象のアプリケーションに係る画像を表示する表示部と、を備える。
【０００７】
この表示装置では、各画面の折り畳み状態から表示画面が特定されると共に、各画面における起動アプリケーションが特定される。そして、表示画面と起動アプリケーションとに基づき表示対象のアプリケーションが決定され、該表示対象のアプリケーションに係る画像が表示画面に表示される。これにより、表示画面と起動アプリケーションとが考慮されて、表示対象のアプリケーションが決定されることとなる。表示画面及び起動アプリケーションの双方を考慮することにより、例えば形状変化後の画面においてユーザが意図するアプリケーションを的確に推定することができる。以上より、当該表示装置によれば、ユーザ体験として直観的な画面遷移を提供することができる。
【０００８】
表示アプリ決定部は、複数の起動アプリケーションのうち、表示画面における起動アプリケーションを、表示対象のアプリケーションに決定してもよい。これにより、表示画面で起動されているアクティブなアプリケーションを表示対象のアプリケーションとすることができ、ユーザ体験として直観的な画面遷移を提供することができる。
【０００９】
表示画面特定部は、所定の時間間隔で連続的に前記表示画面を特定しており、表示アプリ決定部は、表示画面の変遷を更に考慮して、表示対象のアプリケーションを決定してもよい。これにより、どのような表示画面からどのような表示画面に変更になったかを考慮して表示対象のアプリケーションを決定することができ、よりユーザ体験として直観的な画面遷移を提供することができる。
【００１０】
アプリ特定部は、所定の時間間隔で連続的に起動アプリケーションを特定しており、表示アプリ決定部は、起動アプリケーションの変遷を更に考慮して、表示対象のアプリケーションを決定してもよい。これにより、ユーザによって選択されるアプリケーションの変遷に応じて表示対象のアプリケーションを決定することができ、よりユーザ体験として直観的な画面遷移を提供することができる。
【００１１】
表示アプリ決定部は、決定した表示対象のアプリケーションの数と、表示画面特定部により表示画面であると特定された画面の数とに応じて、表示対象のアプリケーションに係る画像の表示サイズを決定し、表示部は、表示アプリ決定部によって決定された表示サイズで、表示対象のアプリケーションに係る画像を表示してもよい。これにより、表示対象のアプリケーションの数と表示画面である画面の数とに応じて適切に画像の表示サイズを決定することができ、ユーザにとって視認し易い表示態様を実現することができる。
【発明の効果】
【００１２】
本発明によれば、ユーザ体験として直観的な画面遷移を提供することができる。
【図面の簡単な説明】
【００１３】
【図１】本発明の実施形態に係る表示装置の形状を模式的に示す図である。
【図２】本発明の実施形態に係る表示装置の機能構成を示す図である。
【図３】図２の表示装置のハードウェア構成を示す図である。
【図４】形状変化テーブルを示す表である。
【図５】アプリ変化テーブルを示す表である。
【図６】単一アプリケーション起動時の画面遷移例を示す図である。
【図７】マルチアプリケーション起動時の画面遷移例を示す図である。
【図８】本発明の実施形態に係る表示装置の処理を示すフローチャートである。
【図９】表示アプリ決定部の処理の詳細を示すフローチャートである。
【発明を実施するための形態】
【００１４】
以下、添付図面を参照しながら本発明の実施形態を詳細に説明する。図面の説明において、同一又は同等の要素には同一符号を用い、重複する説明を省略する。
【００１５】
図１は、本実施形態に係る表示装置の形状を模式的に示す図である。図１（ａ）に示されるように、表示装置１は、互いに独立した３つの画面（ディスプレイ）Ａ，Ｂ，Ｃを有している。画面Ａ，Ｂ，Ｃは、互いに異なる画像を表示してもよいし、互いに同一の画像をそれぞれ表示してもよいし、連携して１つの画像を表示してもよい。連携して１つの画像を表示するとは、例えば、ある画像の一端部分を画面Ａが表示し、中央部分を画面Ｂが表示し、他端部分を画面Ｃが表示することにより、画面Ａ，Ｂ、Ｃ全体として１つの画像を表示することをいう。
【００１６】
図１（ｂ）に示されるように、表示装置１は、３つの画面Ａ，Ｂ，Ｃが折り畳まれることにより形状が変化するフレキシブルディスプレイである。すなわち、表示装置１は、折り畳み可能な複数の画面Ａ，Ｂ，Ｃを有しており、画面Ａ，Ｂ，Ｃの折り畳み状態に応じて形状が変化する。表示装置１では、形状に応じて（すなわち、画面Ａ，Ｂ，Ｃの折り畳み状態に応じて）、画像を表示する表示画面が設定される。表示画面は、表示装置１を利用するユーザが視認可能な画面の中から設定される。画面Ａ，Ｂ，Ｃは、例えばヒンジ（図示せず）を介して互いに接続されている。例えば該ヒンジに設けられたセンサ（図示せず）によって、画面Ａ，Ｂ，Ｃの折り畳み状態が特定される。
【００１７】
例えば、表示装置１においていずれの画面Ａ，Ｂ，Ｃも折り畳まれていない状態（図１（ｂ）の状態ｓｔ５）では、３つの画面Ａ，Ｂ，Ｃの全てが表示画面とされる。状態ｓｔ５から、画面Ｃの裏面が画面Ｂの裏面側に折り畳まれた状態（状態ｓｔ２）では、２つの画面Ａ，Ｂが表示画面とされる。状態ｓｔ５から、画面Ａが画面Ｂに重なるように折り畳まれた状態（状態ｓｔ３）では、画面Ｃが表示画面とされる。状態ｓｔ５から、画面Ｂが画面Ａに重なるように折り畳まれると共に、画面Ｃの裏面が画面Ｂの裏面側に折り畳まれた状態（状態ｓｔ１）では、画面Ｃが表示画面とされる。
【００１８】
図２は、本実施形態に係る表示装置１の機能構成を示す図である。図２に示されるように、表示装置１は、表示画面特定部１１と、アプリ特定部１２と、表示アプリ決定部１３と、形状変化テーブル記憶部１４と、アプリ変化テーブル記憶部１５と、表示部１６と、を備えている。
【００１９】
図３は、図２の表示装置１のハードウェア構成を示す図である。表示装置１は、物理的には、図３に示すように、１又は複数のＣＰＵ１０１、主記憶装置であるＲＡＭ１０２及びＲＯＭ１０３、入力デバイスであるキーボード及びマウス等の入力装置１０４、ディスプレイ等の出力装置１０５、ネットワークカード等のデータ送受信デバイスである通信モジュール１０６、半導体メモリ等の補助記憶装置１０７等を含むコンピュータとして構成されている。
【００２０】
上述した表示装置１の各機能は、図３に示すＣＰＵ１０１、ＲＡＭ１０２等のハードウェア上に１又は複数の所定のコンピュータソフトウェアを読み込ませることにより、ＣＰＵ１０１の制御のもとで入力装置１０４、出力装置１０５、通信モジュール１０６を動作させるとともに、ＲＡＭ１０２や補助記憶装置１０７におけるデータの読み出し及び書き込みを行うことで実現される。
【００２１】
図２に戻り、表示画面特定部１１は、各画面Ａ，Ｂ，Ｃの折り畳み状態（例えば、図１（ｂ）に示された状態ｓｔ１〜ｓｔ５）を特定することにより、各画面Ａ，Ｂ，Ｃのうち画像を表示する表示画面を特定する機能である。表示画面特定部１１は、例えば画面Ａ，Ｂ，Ｃ間のヒンジに設けられたセンサからの情報に基づいて、画面Ａ，Ｂ，Ｃの折り畳み状態を認識する。表示画面特定部１１は、例えば所定時間間隔で連続的に表示画面の特定を行い、特定した表示画面を示す情報を表示アプリ決定部１３に出力する。表示画面特定部１１は、表示画面が変化した場合に限り、特定した表示画面を示す情報を表示アプリ決定部１３に出力してもよい。
【００２２】
アプリ特定部１２は、各画面Ａ，Ｂ，Ｃにおける起動アプリケーションを特定する機能である。アプリ特定部１２は、所定の時間間隔で連続的に起動アプリケーションを特定する。起動アプリケーションとは、画面Ａ，Ｂ，Ｃの少なくともいずれか１つの画面と対応付いて起動されているアプリケーションである。なお、起動アプリケーションのうち、表示画面でない画面と対応付いた起動アプリケーションについては、該起動アプリケーションに係る画像が表示されない場合がある。例えば、図１（ｂ）に示された状態ｓｔ３においては、画面Ａ，Ｂが重なり合っておりいずれも表示画面でないため、当該画面Ａ，Ｂと対応付いた起動アプリケーションに係る画像は非表示とされる場合がある。アプリ特定部１２は、特定した起動アプリケーションを示す情報を表示アプリ決定部１３に出力する。当該起動アプリケーションを示す情報には、各起動アプリケーションがいずれの画面Ａ，Ｂ，Ｃと対応付いたものであるかを示す情報が含まれている。
【００２３】
表示アプリ決定部１３は、表示画面特定部１１により特定された表示画面と、アプリ特定部１２により特定された各画面Ａ，Ｂ，Ｃの起動アプリケーションとに基づき、表示画面における表示対象のアプリケーションを決定する機能である。表示アプリ決定部１３は、例えば、複数の起動アプリケーションのうち、表示画面における起動アプリケーション（表示画面に対応した起動アプリケーション）を、表示画面における表示対象のアプリケーションに決定する。表示アプリ決定部１３は、決定した表示対象のアプリケーションを示す情報を表示部１６に出力する。当該表示対象のアプリケーションを示す情報には、各表示対象のアプリケーションがいずれの画面Ａ，Ｂ，Ｃと対応付いたものであるかを示す情報が含まれている。
【００２４】
また、表示アプリ決定部１３は、決定した表示対象のアプリケーションの数と、表示画面特定部１１により表示画面であると特定された画面の数とに応じて、表示対象のアプリケーションに係る画像の表示サイズを決定してもよい。この場合、表示アプリ決定部１３から表示部１６に出力される、表示対象のアプリケーションを示す情報には、表示対象のアプリケーションに係る画像の表示サイズが含まれていてもよい。
【００２５】
表示アプリ決定部１３は、表示画面の変遷を更に考慮して、表示画面における表示対象のアプリケーションを決定してもよい。この場合、表示アプリ決定部１３は、形状変化テーブル記憶部１４に記憶された形状変化テーブルＴＢ４（図４参照、後述）を参照することにより、表示画面の変遷から表示画面における表示対象のアプリケーションを決定する。
【００２６】
図４は、形状変化テーブルＴＢ４を示す表である。形状変化テーブルＴＢ４は、各画面Ａ，Ｂ，Ｃにおける起動アプリケーションが所定の条件である場合において、表示装置１がある形状（ある折り畳み状態）から他の形状（他の折り畳み状態）に変化した際の、表示対象のアプリケーションを示すテーブルである。
【００２７】
図４（ａ）は、画面Ｃのみが表示画面とされる形状（図１（ｂ）の状態ｓｔ１又は状態ｓｔ３）に変化する場合の表示対象のアプリケーションを示す形状変化テーブルＴＢ４である。図４（ｂ）は、画面Ａ，Ｂが表示画面とされる形状（図１（ｂ）の状態ｓｔ２）に変化する場合の表示対象のアプリケーションを示す形状変化テーブルＴＢ４である。図４（ｃ）は、画面Ａ，Ｂ，Ｃが表示画面とされる形状（図１（ｂ）の状態ｓｔ５）に変化する場合の表示対象のアプリケーションを示す形状変化テーブルＴＢ４である。
【００２８】
図４（ａ）〜図４（ｃ）に示されるように、形状変化テーブルＴＢ４では、形状変化前の状態を示す形状変化前パターンと、形状変化アクションと、形状変化後の表示対象のアプリケーションに係る情報とが関連付けられている。形状変化テーブルＴＢ４における形状変化前パターンを示す部分において、最も左の列は形状変化前の表示画面を示している。例えば、当該列における「Ｃ」とは形状変化前の表示画面が画面Ｃであることを示しており、「ＡＢＣ」とは形状変化前の表示画面が画面Ａ，Ｂ，Ｃであることを示している。
【００２９】
また、形状変化前パターンを示す部分における「アプリ数」は、起動アプリケーションの数を示している。また、形状変化前パターンを示す部分における「画面」は、各画面と起動アプリケーションとの関係を示している。形状変化前パターンを示す部分における「画面」においては、左から順に画面Ａ，Ｂ，Ｃを示しており、対応して記載されたＡ１〜Ａ３はそれぞれアプリＡ１〜Ａ３が起動アプリケーションであることを示しており、対応して記載されたＨはホーム画面が表示されていることを示している。また、「画面」においてグレーアウト無しで表示された画面は表示画面であることを示しており、グレーアウト有りで表示された画面は表示画面でない（非表示の画面である）ことを示している。
【００３０】
形状変化テーブルＴＢ４における形状変化アクションを示す部分では、形状変化の前後で、状態ｓｔ１，ｓｔ２，ｓｔ３，ｓｔ５のどの状態からどの状態に変化したかを示している。形状変化後の表示対象のアプリケーションに係る情報を示す部分では、左から順に画面Ａ，Ｂ，Ｃを示しており、対応して記載されたＡ１〜Ａ３はそれぞれアプリＡ１〜Ａ３が起動アプリケーションであることを示しており、対応して記載されたＨはホーム画面が表示されていることを示している。また、「画面」においてグレーアウト無しで表示された画面は表示画面であることを示しており、グレーアウト有りで表示された画面は表示画面でない（非表示の画面である）ことを示している。なお、図４に示した形状変化テーブルＴＢ４における最も左の列は、形状変化テーブルＴＢ４内のレコード番号（ＳＨ１〜ＳＨ７４）を示している。
【００３１】
表示アプリ決定部１３は、表示画面特定部１１及びアプリ特定部１２から入力された情報に基づき、表示画面及び起動アプリケーションを認識する。そして、表示アプリ決定部１３は、表示画面の変化があった（形状変化があった）場合には、形状変化テーブルＴＢ４を参照することにより、表示画面及び起動アプリケーションに応じた表示対象のアプリケーションを決定する。表示アプリ決定部１３は、表示画面の変化があったか否かを判定すべく、直近の表示画面を記憶しているものであってもよい。
【００３２】
例えば、図１（ｂ）における状態ｓｔ１又は状態ｓｔ３から状態ｓｔ５に変化し、表示画面が画面Ｃのみから画面Ａ，Ｂ，Ｃに変化したとする。また、画面Ｃに対応付いた起動アプリケーションがアプリＡ１であったとする。この場合、表示アプリ決定部１３は、上記条件と合致する、図４（ｃ）に示された形状変化テーブルＴＢ４のレコード番号：ＳＨ５６を参照し、アプリＡ１を、形状変化後の表示画面である画面Ａ，Ｂ，Ｃそれぞれにおける表示対象のアプリケーションに決定する。このような制御が行われることにより、起動アプリケーションが単一である状態で表示画面が増えた場合に、形状変化前における表示対象のアプリケーションを拡張して表示することが可能になる。上述した例では、１画面（画面Ｃ）にのみ表示されていたアプリＡ１が、３画面（画面Ａ，Ｂ，Ｃ）に表示されることとなる。
【００３３】
また、例えば、図１（ｂ）における状態ｓｔ５から状態ｓｔ１又は状態ｓｔ３に変化し、表示画面が画面Ａ，Ｂ，Ｃから画面Ｃのみに変化したとする。そして、画面Ａ，Ｂ，Ｃに対応付いた起動アプリケーションがアプリＡ１であったとする。この場合、表示アプリ決定部１３は、上記条件と合致する、図４（ａ）に示された形状変化テーブルＴＢ４のレコード番号：ＳＨ２２を参照し、アプリＡ１を、形状変化後の表示画面である画面Ｃにおける表示対象のアプリケーションに決定する。このような制御が行われることにより、起動アプリケーションが単一である状態で表示画面が減った場合に、形状変化前における表示対象のアプリケーションを縮小して表示することが可能になる。上述した例では、３画面（画面Ａ，Ｂ，Ｃ）に表示されていたアプリＡ１が、１画面（画面Ｃ）に表示されることとなる。
【００３４】
また、例えば、図１（ｂ）における状態ｓｔ２から状態ｓｔ１に変化し、表示画面が画面Ａ，Ｂから画面Ｃに変化したとする。また、画面Ａ，Ｂに対応付いた起動アプリケーションがアプリＡ１であったとする。この場合、表示アプリ決定部１３は、上記条件と合致する、図４（ａ）に示された形状変化テーブルＴＢ４のレコード番号：ＳＨ１２を参照し、アプリＡ１を、形状変化後の表示画面である画面Ｃにおける表示対象のアプリケーションに決定する。このような制御が行われることにより、画面Ａ、Ｂの２面から画面Ｃの１面に表示画面が変化する場合において、画面Ｂの起動アプリケーションを画面Ｃに表示すると共に、非表示の画面である画面Ａ，Ｂの起動アプリケーションを終了することができる。
【００３５】
また、例えば、図１（ｂ）における状態ｓｔ２から状態ｓｔ５に変化し、表示画面が画面Ａ，Ｂから画面Ａ，Ｂ，Ｃに変化したとする。また、画面Ｂに対応付いた起動アプリケーションがアプリＡ１であり、画面Ａにはホーム画面が表示されていたとする。この場合、表示アプリ決定部１３は、上記条件と合致する、図４（ｃ）に示された形状変化テーブルＴＢ４のレコード番号：ＳＨ６８を参照し、アプリＡ１を、形状変化後の表示画面である画面Ａにおける表示対象のアプリケーションに決定すると共に、表示画面である画面Ｂ，Ｃにホーム画面を表示することを決定する。通常、形状変化前において起動アプリケーションが対応付いていなかった非表示の画面が、形状変化後において表示画面となった場合には、当該表示画面にはホーム画面が表示される（例えば、図４（ｂ）に示された形状変化テーブルＴＢ４のレコード番号：ＳＨ３９を参照）。レコード番号：ＳＨ６８の処理では、このような処理を行う（すなわち画面Ｃにホーム画面を表示する）ことに加えて、形状変化の前後で、画面Ａ，Ｂの表示内容を変化させている。具体的には、形状変化前においては画面Ａにホーム画面、画面ＢにアプリＡ１が表示されるが、形状変化後においては画面ＡにアプリＡ１、画面Ｂにホーム画面が表示される。このような制御が行われることにより、形状変化後において、画面Ｂ，Ｃにホーム画面を結合して表示することができる。すなわち、ホーム画面が画面Ａ，Ｃに分割されて表示されるのではなく、画面Ｂ，Ｃに結合して表示されることにより、ユーザ体験としてより直観的な画面遷移を提供することができる。
【００３６】
表示アプリ決定部１３による、形状変化テーブルＴＢ４を用いた表示対象のアプリケーションの特定は、所定時間間隔で連続的に行われる。図６は、単一アプリケーション起動時の画面遷移例を示す図である。図７は、マルチアプリケーション起動時の画面遷移例を示す図である。
【００３７】
図６（ａ）に示される例では、画面Ｃのみが表示画面とされ、該画面Ｃに対応付いてアプリＡ１が表示対象のアプリケーションとされた状態（状態Ｖ１）から、画面Ａ，Ｂが表示画面とされると、画面Ａ，Ｂにはホーム画面が表示され、起動アプリケーションであるアプリＡ１は非表示となる（状態Ｖ２）。状態Ｖ２から、画面Ａ，Ｂ，Ｃが表示画面とされると、画面Ａ，Ｂには引き続きホーム画面が表示され、画面Ｃに対応付いてアプリＡ１が表示対象のアプリケーションとされる（状態Ｖ３）。すなわち、状態Ｖ１から状態Ｖ２の遷移において一度非表示（非活性）化したアプリＡ１が、状態Ｖ３において活性化する。
【００３８】
また、状態Ｖ２から、画面Ｃが表示画面とされると、画面Ｃにホーム画面が表示される（状態Ｖ４）。状態Ｖ４から、画面Ａ，Ｂが表示画面とされると、画面Ａ，Ｂにホーム画面が表示される（状態Ｖ５）。状態Ｖ５から、画面Ａ，Ｂ，Ｃが表示画面とされると、画面Ａ，Ｂ，Ｃにホーム画面が表示される（状態Ｖ６）。
【００３９】
また、状態Ｖ１から、画面Ａが画面Ｂに重なるように折り畳まれると、表示画面は引き続き画面Ｃであるので、画面Ｃに対応付いてアプリＡ１が表示対象のアプリケーションとされる（状態Ｖ７）。状態Ｖ７から、画面Ａ，Ｂ，Ｃが表示画面とされると、画面Ａ，Ｂ，Ｃに対応付いてアプリＡ１が表示対象のアプリケーションとされる（状態Ｖ８）。すなわち、状態Ｖ７から状態Ｖ８の遷移において画面サイズに合わせたアプリＡ１のリサイズが行われる。
【００４０】
また、状態Ｖ１から、画面Ａ，Ｂ，Ｃが表示画面とされると、画面Ａ，Ｂ，Ｃに対応付いてアプリＡ１が表示対象のアプリケーションとされる（状態Ｖ９）。すなわち、状態Ｖ１から状態Ｖ９の遷移において画面サイズに合わせたアプリＡ１のリサイズが行われる。
【００４１】
図６（ｂ）に示される例では、画面Ａ，Ｂ、Ｃが表示画面とされ、画面Ａ，Ｂ，Ｃに対応付いてアプリＡ１が表示対象のアプリケーションとされた状態（状態Ｗ１）から、画面Ａ，Ｂが表示画面とされると、画面Ａ，Ｂに対応付いてアプリＡ１が表示対象のアプリケーションとされる（状態Ｗ２）。すなわち、状態Ｗ１から状態Ｗ２の遷移において画面サイズに合わせたアプリＡ１のリサイズが行われる。
【００４２】
更に、状態Ｗ２から、画面Ｃのみが表示画面とされると、画面Ｃに対応付いてアプリＡ１が表示対象のアプリケーションとされる（状態Ｗ３）。すなわち、状態Ｗ２から状態Ｗ３の遷移において画面サイズに合わせたアプリＡ１のリサイズが行われる。
【００４３】
また、状態Ｗ１から、画面Ａが画面Ｂに重なるように折り畳まれると、画面Ｃに対応付いてアプリＡ１が表示対象のアプリケーションとされる（状態Ｗ４）。すなわち、状態Ｗ１から状態Ｗ４の遷移において画面サイズに合わせたアプリＡ１のリサイズが行われる。
【００４４】
図７（ａ）に示される例では、画面Ａ，Ｂ，Ｃが表示画面とされ、画面Ａ，Ｂに対応付いてアプリＡ２が表示対象のアプリケーションとされ、画面Ｃに対応付いてアプリＡ１が表示対象のアプリケーションとされた状態（状態Ｘ１）から、画面Ａ，Ｂが表示画面とされると、画面Ａ，Ｂに対応付いてアプリＡ２が表示対象のアプリケーションとされ、起動アプリケーションであるアプリＡ１は非表示となる（状態Ｘ２）。
【００４５】
更に、状態Ｘ２から、画面Ｃが表示画面とされると、画面Ｃに対応付いてアプリＡ２が表示対象のアプリケーションとされる（状態Ｘ３）。すなわち、状態Ｘ３においては、非表示となっていたアプリＡ１が終了すると共に、状態Ｘ２において画面Ａ，Ｂに対応付いていたアプリＡ２が、画面Ｃの画面サイズに合わせてリサイズされる。
【００４６】
図７（ｂ）に示される例では、画面Ａ，Ｂ，Ｃが表示画面とされ、画面Ａに対応付いてアプリＡ３が、画面Ｂに対応付いてアプリＡ２が、画面Ｃに対応付いてアプリＡ１が、それぞれ表示対象のアプリケーションとされた状態（状態Ｙ１）から、画面Ａ，Ｂが表示画面とされると、画面Ａ，Ｂに対応付いてアプリＡ３，Ａ２がそれぞれ表示対象のアプリケーションとされ、起動アプリケーションであるアプリＡ１は非表示となる（状態Ｙ２）。
【００４７】
更に、状態Ｙ２から、画面Ｃが表示画面とされると、画面Ｃに対応付いてアプリＡ２が表示対象のアプリケーションとされる（状態Ｙ３）。すなわち、状態Ｙ３においては、非表示となっていたアプリＡ１が終了すると共に、状態Ｙ２において画面Ｂに対応付いていたアプリＡ２が、画面Ｃの画面サイズに合わせてリサイズされる。
【００４８】
また、状態Ｙ１から画面Ｃが表示画面とされると、画面Ａ，Ｂに対応付いていた起動アプリケーションであるアプリＡ２，Ａ３は非表示となり、画面Ｃに対応付いてアプリＡ１が表示対象のアプリケーションとされる（状態Ｙ４）。
【００４９】
図７（ｃ）に示される例では、画面Ａ，Ｂ，Ｃが表示画面とされ、画面Ａに対応付いてアプリＡ２が、画面Ｂ，Ｃに対応付いてアプリＡ１が、それぞれ表示対象のアプリケーションとされた状態（状態Ｚ１）から、画面Ａ，Ｂが表示画面とされると、画面Ａに対応付いてアプリＡ２が表示対象のアプリケーションとされ、画面Ｂに対応付いてアプリＡ１が表示対象のアプリケーションとされる（状態Ｚ２）。すなわち、状態Ｚ１から状態Ｚ２の遷移において画面サイズに合わせたアプリＡ１のリサイズが行われる。
【００５０】
更に、状態Ｚ２から画面Ｃが表示画面とされると、画面Ｃに対応づいてアプリＡ１が表示対象のアプリケーションとされ、画面Ａに対応付いていた起動アプリケーションであるアプリＡ２は非表示となる（状態Ｚ３）。更に、状態Ｚ３から画面Ａ，Ｂ，Ｃが表示画面とされると、画面Ｂ，Ｃに対応付いてアプリＡ１が表示対象のアプリケーションとされ、画面Ａに対応付いてアプリＡ２が表示対象のアプリケーションとされる（状態Ｚ４）。すなわち、状態Ｚ３から状態Ｚ４の遷移において画面サイズに合わせたアプリＡ１のリサイズが行われる。また、状態Ｚ２から状態Ｚ３の遷移において、一度非表示（非活性）化したアプリＡ２が、状態Ｚ４において活性化する。
【００５１】
また、状態Ｚ３から画面Ａ，Ｂが表示画面とされると、画面Ａに対応付いてアプリＡ２が表示対象のアプリケーションとされ、画面Ｂにホーム画面が表示され、画面Ｃに対応付いていた起動アプリケーションであるアプリＡ１が非表示となる（状態Ｚ５）。すなわち、状態Ｚ２から状態Ｚ３の遷移において一度非表示（非活性）化したアプリＡ２が、状態Ｚ５において活性化する。
【００５２】
更に、状態Ｚ５から画面Ａ，Ｂ，Ｃが表示画面とされると、画面Ａに対応付いてアプリＡ２が表示対象のアプリケーションとされ、画面Ｂにホーム画面が表示され、画面Ｃに対応付いてアプリＡ１が表示対象のアプリケーションとされる。すなわち、状態Ｚ３から状態Ｚ５の遷移において一度非表示（非化成）化したアプリＡ１が、状態Ｚ６において活性化する。
【００５３】
表示アプリ決定部１３は、起動アプリケーションの変遷を更に考慮して、表示対象のアプリケーションを決定してもよい。この場合、表示アプリ決定部１３は、アプリ変化テーブル記憶部１５に記憶されたアプリ変化テーブルＴＢ５（図５参照、後述）を参照することにより、起動アプリケーションの変遷から表示画面における表示対象のアプリケーションを決定する。
【００５４】
図５は、アプリ変化テーブルＴＢ５を示す表である。アプリ変化テーブルＴＢ５は、表示画面が所定の条件である場合において、アプリケーションの実行状況が変化した際の、表示対象のアプリケーションを示すテーブルである。アプリケーションの実行状況が変化するとは、新しくアプリケーションが起動する（起動アプリケーションが増える）こと、アプリケーションが終了する（起動アプリケーションが減る）こと、アプリケーションの表示画面が切り替わること等をいう。
【００５５】
図５（ａ）は、画面Ｃが表示画面とされた状態においてアプリケーションの実行状況が変化した場合の表示対象のアプリケーションを示すアプリ変化テーブルＴＢ５である。図５（ｂ）は、画面Ａ，Ｂが表示画面とされた状態においてアプリケーションの実行状況が変化した場合の表示対象のアプリケーションを示すアプリ変化テーブルＴＢ５である。図５（ｃ）は、画面Ａ，Ｂ，Ｃが表示画面とされた状態においてアプリケーションの実行状況が変化した場合の表示対象のアプリケーションを示すアプリ変化テーブルＴＢ５である。
【００５６】
図５（ａ）〜図５（ｃ）に示されるように、アプリ変化テーブルＴＢ５では、アプリケーションの実行状況変化前のアプリ数及び画面と、アプリケーションの実行状況変化に係る遷移アクションと、アプリケーションの実行状況変化後の変化パターン（表示対象のアプリケーションに係る情報）とが関連付けられている。アプリ変化テーブルＴＢ５において「アプリ数」は、アプリケーションの実行状況変化前における起動アプリケーションの数を示している。また、「画面」は、画面と起動アプリケーションとの関係を示しており、上述した形状変化テーブルＴＢ４の「画面」と同様のルールで画面と起動アプリケーションとの関係を示している。
【００５７】
また、アプリ変化テーブルＴＢ５において「遷移アクション」は、具体的に実行されるアクションを示している。「変化パターン」では、遷移アクションが実行された場合の表示対象のアプリケーションを示している。なお、図５に示したアプリ変化テーブルＴＢ５における最も左の列は、アプリ変化テーブルＴＢ５内のレコード番号（Ｔ１〜Ｔ２２４）を示している。
【００５８】
表示アプリ決定部１３は、表示画面特定部１１及びアプリ特定部１２から入力された情報に基づき、表示画面及び起動アプリケーションを認識する。そして、表示アプリ決定部１３は、アプリケーションの実行状況が変化した場合には、アプリ変化テーブルＴＢ５を参照することにより、表示対象のアプリケーションを決定する。
【００５９】
例えば、表示画面が画面Ａ，Ｂであって、画面Ａ，Ｂにホーム画面が表示されている状態において、画面Ａに対応付く起動アプリケーションとしてアプリＡ１が起動されたとする。この場合、表示アプリ決定部１３は、当該条件と合致する、図５（ｂ）に示されたアプリ変化テーブルＴＢ５のレコード番号：Ｔ２６を参照し、アプリＡ１を、画面Ａにおける表示対象のアプリケーションに決定する。
【００６０】
また、例えば、表示画面が画面Ａ，Ｂ，Ｃであって、画面Ａに対応付いてアプリＡ２が起動され、画面Ｂ，Ｃに対応付いてアプリＡ１が起動されている状態において、アプリＡ２が終了されたとする。この場合、表示アプリ決定部１３は、当該条件と合致する、図５（ｃ）に示されたアプリ変化テーブルＴＢ５のレコード番号：Ｔ１３４を参照し、ホーム画面を画面Ａにおける表示対象に決定する。
【００６１】
また、例えば、表示画面が画面Ｃであって、画面Ｂに対応付いてアプリＡ１が起動され、画面Ｃにホーム画面が表示された状態において、アプリＡ１の表示画面が画面Ｃに切り替わったとする。この場合、表示アプリ決定部１３は、当該条件と合致する、図５（ａ）に示されたアプリ変化テーブルＴＢ５のレコード番号：Ｔ３を参照し、ホーム画面に替えてアプリＡ１を画面Ｃにおける表示対象のアプリケーションに決定する。
【００６２】
図２に戻り、表示部１６は、表示画面に、表示対象のアプリケーションに係る画像を表示する機能である。表示部１６は、表示アプリ決定部１３から入力された、表示対象のアプリケーションを示す情報に基づき、表示対象のアプリケーションに係る画像を表示する。また、表示部１６は、表示対象のアプリケーションを示す情報に、表示対象のアプリケーションに係る画像の表示サイズが含まれている場合には、当該表示サイズで、表示対象のアプリケーションに係る画像を表示してもよい。
【００６３】
次に、図８を参照して、表示装置１の処理について説明する。図８は、本実施形態に係る表示装置１の処理を示すフローチャートである。
【００６４】
図８に示されるように、表示装置１では、表示画面特定部１１により、表示装置１の形状が認識されることにより各画面Ａ，Ｂ，Ｃの折り畳み状態が特定され、各画面Ａ，Ｂ，Ｃのうち画像を表示する表示画面が特定される（ステップＳ１）。つづいて、アプリ特定部１２により、各画面における起動アプリケーションが特定される（ステップＳ２）。
【００６５】
つづいて、表示アプリ決定部１３により、表示画面特定部１１が特定した表示画面と、アプリ特定部１２が特定した起動アプリケーションとから、表示画面における表示対象のアプリケーションが決定される（ステップＳ３）。最後に、表示部１６により、表示対象のアプリケーションに係る画像が、表示画面に表示される（ステップＳ４）。
【００６６】
次に、図９を参照して、表示アプリ決定部１３の処理の詳細（すなわち、上述したステップＳ３の詳細）を説明する。図９は、表示アプリ決定部１３の処理の詳細を示すフローチャートである。
【００６７】
図９に示されるように、表示アプリ決定部１３では、表示装置１の形状変化が認識されたか（すなわち表示画面の変化があったか）否かが判定される（ステップＳ３１）。表示アプリ決定部１３は、表示画面特定部１１からの情報に基づき、上記判定を行う。
【００６８】
Ｓ３１において形状変化が認識された場合には、表示アプリ決定部１３により、形状変化テーブル記憶部１４の形状変化テーブルＴＢ４が参照される（ステップＳ３２）。表示アプリ決定部１３は、形状変化テーブルＴＢ４を参照することにより、表示画面及び起動アプリケーションに応じた表示対象のアプリケーションを決定し（ステップＳ３３）、処理が終了する。
【００６９】
一方で、Ｓ３１において形状変化が認識されなかった場合には、表示アプリ決定部１３により、起動アプリケーションの実行状況が変化したか否かが判定される（ステップＳ３４）。Ｓ３４において実行状況が変化していない場合には、処理が終了する。
【００７０】
一方で、Ｓ３４において実行状況の変化があると判定された場合には、表示アプリ決定部１３により、アプリ変化テーブル記憶部１５のアプリ変化テーブルＴＢ５が参照される（ステップＳ３５）。表示アプリ決定部１３は、アプリ変化テーブルＴＢ５を参照することにより、起動アプリケーションの変遷から表示画面における表示対象のアプリケーションを決定し（ステップＳ３３）、処理が終了する。
【００７１】
次に、本実施形態に係る表示装置１の作用効果について説明する。
【００７２】
本実施形態に係る表示装置１は、折り畳み可能な複数の画面Ａ，Ｂ，Ｃを有する表示装置であって、各画面Ａ，Ｂ，Ｃの折り畳み状態を特定し、各画面Ａ，Ｂ，Ｃのうち画像を表示する表示画面を特定する表示画面特定部１１と、各画面Ａ，Ｂ，Ｃにおける起動アプリケーションを特定するアプリ特定部１２と、表示画面特定部により特定された表示画面と、アプリ特定部１２により特定された各画面Ａ，Ｂ，Ｃの起動アプリケーションとに基づき、表示画面における表示対象のアプリケーションを決定する表示アプリ決定部１３と、表示画面に表示対象のアプリケーションに係る画像を表示する表示部１６と、を備える。
【００７３】
この表示装置１では、各画面Ａ，Ｂ，Ｃの折り畳み状態から表示画面が特定されると共に、各画面Ａ，Ｂ，Ｃにおける起動アプリケーションが特定される。そして、表示画面と起動アプリケーションとに基づき表示対象のアプリケーションが決定され、該表示対象のアプリケーションに係る画像が表示画面に表示される。これにより、表示画面と起動アプリケーションとが考慮されて、表示対象のアプリケーションが決定されることとなる。表示画面及び起動アプリケーションの双方を考慮することにより、形状変化後の画面においてユーザが意図するアプリケーションを的確に推定することができる。以上より、当該表示装置１によれば、ユーザ体験として直観的な画面遷移を提供することができる。
【００７４】
また、本表示装置１において、表示アプリ決定部１３は、複数の起動アプリケーションのうち、表示画面における起動アプリケーションを、表示対象のアプリケーションに決定してもよい。これにより、表示画面で起動されているアクティブなアプリケーションを表示対象のアプリケーションとすることができ、ユーザ体験として直観的な画面遷移を提供することができる。
【００７５】
また、本表示装置１において、表示画面特定部１１は、所定の時間間隔で連続的に表示画面を特定し、表示アプリ決定部１３は、表示画面の変遷を更に考慮して、表示対象のアプリケーションを決定してもよい。これにより、どのような表示画面からどのような表示画面に変更になったかを考慮して表示対象のアプリケーションを決定することができ、よりユーザ体験として直観的な画面遷移を提供することができる。
【００７６】
また、本表示装置１において、アプリ特定部１２は、所定の時間間隔で連続的に起動アプリケーションを特定し、表示アプリ決定部１３は、起動アプリケーションの変遷を更に考慮して、表示対象のアプリケーションを決定してもよい。これにより、ユーザによって選択されるアプリケーションの変遷に応じて表示対象のアプリケーションを決定することができ、よりユーザ体験として直観的な画面遷移を提供することができる。
【００７７】
また、本表示装置１において、表示アプリ決定部１３は、決定した表示対象のアプリケーションの数と、表示画面特定部１１により表示画面であると特定された画面の数とに応じて、表示対象のアプリケーションに係る画像の表示サイズを決定し、表示部１６は、表示アプリ決定部１３によって決定された表示サイズで、表示対象のアプリケーションに係る画像を表示してもよい。これにより、表示対象のアプリケーションの数と表示画面である画面の数とに応じて適切に画像の表示サイズを決定することができ、ユーザにとって視認し易い表示態様を実現することができる。
【符号の説明】
【００７８】
１…表示装置、１１…表示画面特定部、１２…アプリ特定部、１３…表示アプリ決定部、１６…表示部、Ａ，Ｂ，Ｃ…画面。
【図１】
2017223720.tif 000003
【図２】
2017223720.tif 000004
【図３】
2017223720.tif 000005
【図４】
2017223720.tif 000006
【図５】
2017223720.tif 000007
【図６】
2017223720.tif 000008
【図７】
2017223720.tif 000009
【図８】
2017223720.tif 000010
【図９】
2017223720.tif 000011